(57)【要約】【課題】駆動部ケース側から照明ライト５側への熱の伝達は上記空隙部Ｓにより効果的に遮断される。また、両者間における空隙部Ｓは駆動部ケースの振動の伝達も効果的に遮断する。さらに、空隙部Ｓにより駆動部ケース外面の放熱効果が高める。【解決手段】後部にモータ１とモータ１を、前部に駆動源とする回転駆動部３を収納したハウジング２の前方に回転駆動伝達部４を設け、上記ハウジング２の前部に照明ライト５を備えたライト付き電動工具において、上記照明ライト５を、前記回転駆動部３を収納する駆動部ケース１３の下側に配置し、上記照明ライト５と駆動部ケース１３との間には空隙部Ｓを形成した。【選択図】図２
2007268635.tif 000002
【特許請求の範囲】
【請求項１】
後部にモータとモータを収納したハウジングの前方に回転駆動部と回転駆動伝達部を設け、前部に照明ライトを備えたライト付き電動工具において、
上記照明ライトを、前記回転駆動部を収納する駆動部ケースの下側に配置し、上記照明ライトと駆動部ケースとの間には空隙部を形成した
ことを特徴とする照明ライト付き電動工具。
【請求項２】
上記ハウジングは左右２つのハウジング部に縦割り２分割とされ、上記照明ライトは、一方のハウジング部と他方のハウジング部との間に挟持固定されたことを特徴とする、請求項１に記載の照明ライト付き電動工具。
【発明の詳細な説明】
【技術分野】
【０００１】
本発明は照明ライトを備えた電動工具の改良技術に関する。
【背景技術】
【０００２】
従来から、暗い場所での作業を容易に行うために、作業対象箇所を照らす照明ライトを備えた電動工具が知られており、この電動工具においては、照明ライトにより工具の先端付近を効率良く照らす必要性があることから、照明ライトの取付けは、電動工具のインパクト駆動出力を出力する駆動機構を収納する振動が大きく加熱し易い駆動部ケース外面においてなされている。このため駆動部ケースの振動と加熱から照明ライトを保護するための対策が採られている。
【０００３】
具体的には、駆動部ケースの外面に対し断熱性を有する弾性部材を介して取り付けられている。上記弾性部材として駆動部ケースを覆う保護カバーの一部が使用されている（例えば、特許文献１参照）。
【特許文献１】特開２００５−４０９３４
【発明の開示】
【発明が解決しようとする課題】
【０００４】
しかしながら、上述の照明ライトの取付けに限定されるところではないが、一般的に上述のような振動伝達の緩和と熱伝達の遮断を目的とする弾性部材を介在させる部品等の取付けにおいては、弾性部材の部材の選択にもよるが、弾性部材本来の機能である弾性力の利用による振動伝達の緩和効果ではそれなりに満足できる結果が得られるとしても、熱伝達の遮断という視点からは、たとえ断熱性を有する弾性部材の使用であってもその効果はかなり限られたものであり、必ずしも満足できる結果を得ることはできない。してみると、上述の部品等の取付けにおいて熱伝達の遮断対策に視点が置かれる場合には、弾性部材の使用は必ずしも好適な選択であるとは言えない。
【０００５】
また、弾性部材の介在による取付けにおいて重視されるべきは、弾性部材の長期使用における熱等の種々の周辺状況からの影響による損傷や弾性疲労等による劣化であり、この問題は避けて通ることはできない。弾性部材の劣化は、振動伝達の緩和効果の著しい低下をもたらすばかりでなく、熱伝達の遮断効果を低下させるものであり、照明ライトの取付けにおいては、取付け部が緩んでガタつきを起こして異音を発生し、時には照明ライトの破損を招くことにもなる。
【０００６】
上述の事情からすると、部品等の取付けにおける弾性部材の介在使用は決して好適な選択とはいえず、熱伝達の遮断効果向上の視点から他の照明ライトの取付けにおける好適な改良策の提供が求められている。
【０００７】
本発明は、上述の課題の解決に着目してなされた照明ライトを備える電動工具の改良構造の提案に関するものであって、照明ライトに対する熱伝達を効果的に遮断することができる照明ライト付き電動工具を提供するものである。
【課題を解決するための手段】
【０００８】
本発明の請求項１に係る発明は、後部にモータとモータを収納したハウジングの前方に回転駆動部と回転駆動伝達部を設け、前部に照明ライトを備えたライト付き電動工具において、上記照明ライトを、前記回転駆動部を収納する駆動部ケースの下側に配置し、上記照明ライトと駆動部ケースとの間には空隙部を形成したことを特徴とする。
【０００９】
請求項２に係る発明は、請求項１において、上記ハウジングは左右２つのハウジング部に縦割り２分割とされ、上記照明ライトは、一方のハウジング部と他方のハウジング部との間に挟持固定されたことを特徴とする。
【発明の効果】
【００１０】
請求項１に係る発明によれば、照明ライトは、回転駆動部を収納する駆動部ケースの下側に配置され、上記照明ライトと駆動部ケースとの間には空隙部が形成されているから、駆動部ケース側から照明ライト側への熱の伝達は上記空隙部により効果的に遮断される。また、両者間における空隙部は駆動部ケースの振動の伝達も効果的に遮断する。さらに、空隙部により駆動部ケース外面の放熱効果が高められる。
【００１１】
請求項２に係る発明によれば、照明ライトは、左右のハウジング部の間に挟持固定されているから、照明ライトの取付けは強固であり長期使用においても緩むことがない。また、照明ライトの挟持による取付け作業は比較的容易である。
【発明を実施するための最良の形態】
【００１２】
・電動インパクトドライバの概要
図１は、本発明に係る照明ライト付き電動工具としての電動インパクトドライバの側面図、図２は上記インパクトドライバの縦断面図、図３はその前部の拡大図であり、図４はその分解斜視図である。また、図５は図１のＸ−Ｘ線上の断面図、図６は図１のＹ−Ｙ線上の断面図であり、図７は図１のＺ−Ｚ線上の断面図である。なお、本発明に係る電動工具は、電動インパクトドライバに限定されるものではなく、この実施形態における説明は、他の類似電動工具においても共通すると認識される範囲で適用される。
【００１３】
電動インパクトドライバは、後部にモータ１を収納したハウジング２の前部に砲弾形の回転駆動部３を設け、回転駆動部３の前方には駆動伝達部４を設け、上記ハウジング２の前部に照明用のライト５を備えたものである。
【００１４】
ハウジング２の内部には、モータ１と冷却ファン６が収納されている。また、ハウジング２の下部にはグリップ部７が、左右に２分割形成されている。また、前部ハウジング２の前方には回転駆動伝達部４として図示されないドライバビットを保持するチャックを備えている。
【００１５】
回転駆動部３は遊星歯車による減速部１０とハンマ１１と出力軸１２とアンビル１５とによって構成されている。出力軸１２は前部のアンビル１５と作動連結している。ハンマ１１は出力軸１２にスプライン結合し、アンビル１５を断続的に打撃可能に配置されている。回転駆動部３は金属製のハンマケース（駆動部ケース）１３の内部に取り付けられている。また、ハンマケース１３の後端は開放され、この開放部には上記減速部１０の収納ケース１４が嵌合している。なお、ハンマケース１３の外面には、弾性のある材質、例えばウレタンゴムで形成された保護カバー２０が着脱自在に設けられている。
【００１６】
グリップ部７の上端部にはトリガレバー１６と回転方向切換え操作部材１７が設けられ、またトリガレバー１６の操作によりモータ１が駆動しているときは照明ライト５が点灯されるように構成されている。照明ライト５は、トリガレバー１６とは別の専用スイッチのオンオフ作動で点滅するように構成してもよい。なお、バッテリパック内に配置された電池の電力は上記モータ１と照明ライト５に供給されるように配電されている。
【００１７】
・照明ライトとその取付け
次に、上記照明ライト５はハンマケース１３の下側に配置されている。すなわち、図２等に示されるように、ハウジング２の左右のハウジング部２ａ、２ｂの各前部の下側には、ハンマケース１３の下側に対応する位置に照明ライト収容部１８が半分ずつ形成されている。一方のハウジング部２ａの照明ライト収容部１８の内側には雌ネジを有する筒部２１が形成され、他方のハウジング部２ｂには、上記筒部２１に対応する位置に固定ネジ２２の貫通孔２３が形成されている。また、照明ライト収容部１８の後部には係合溝２４が形成されている。
【００１８】
照明ライト５は、図６に示されるように、発光ダイオード２５をレンズブロック２６に形成された収納部２７内に収納することにより構成されている。発光ダイオードとしては、高輝度発光のものが使用される。
【００１９】
レンズブロック２６は発光ダイオード収納部２７の両側後方に脚部２８を突出形成してなる透明樹脂製の部材で、レンズブロック２６の後部には両側に貫通する貫通孔３０が形成されている。また、レンズブロック２６の両側には係合凸部３１が形成されている。なお、発光ダイオード２５から発光された光線はインパクトドライバの先端側、すなわちドライバビット（図示されない）による作業対象箇所に指向するようにその向きが調整されている。
【００２０】
照明ライト５を取り付けるときは、上記両ハウジング部２ａ、２ｂの収納部の間に照明ライト５を配置し、両ハウジング部２ａ、２ｂを閉じる際に、図６のようにレンズブロック２６の係合凸部３１を両ハウジング部２ａ、２ｂの係合溝２４に係合させ、さらに図５に示されるように、一方のハウジング部２ａの貫通孔２３からレンズブロック２６の貫通孔３０に挿通された固定ネジ２２を、他方のハウジング部２ｂからレンズブロック２６の貫通孔２３に挿通された筒部２１の雌ネジに螺合して一体的に結合する。これにより、照明ライト５は両ハウジング部２ａ、２ｂの間に挟持固定される。
【００２１】
ところで、上述のように取り付けられたとき、照明ライト５とハンマケース１３との間には空隙部Ｓが形成されるように構成されている。すなわち、図６および図７に示されるように、照明ライト５のレンズブロック２６の上面部には段部が形成され、中央部分３３が低くなっている。したがって、両側部３４はハンマケース１３の下面に当接されず、中央部分３３には空隙部Ｓが形成されている。
【００２２】
この空隙部Ｓには断熱材である空気が満たされているので、ハンマケース１３で発生した熱の照明ライト５側への伝達を効果的に遮断することができる。また、この空隙部Ｓは、ハンマケース１３と照明ライト５間の振動伝達を遮断することができる。さらに、空隙部Ｓはハンマケース１３における熱の発散を良くする。
【００２３】
ハウジング２に対する照明ライト５の取付けは、２分割されたハウジング２の両ハウジング部２ａ、２ｂの照明ライト収容部１８内に収納した状態でレンズブロック２６を挟持してネジ締め固定することでなされるが、さらに、ハウジング部２ａ、２ｂ側と照明ライト５側のそれぞれに形成された係合溝２４と係合凸部３１とが互いに係合するので、長期使用においても緩むことのない強固な取付け強度が得られる。また、照明ライト５の挟持による取付け作業は比較的容易である。
【００２４】
なお、上記照明ライト５の放熱構造はインパクトドライバに限定されない。電動ドリル、電動ドライバのような発熱を伴う電動工具にも適用することができる。
【図面の簡単な説明】
【００２５】
【図１】本発明のインパクトドライバの側面図
【図２】上記インパクトドライバの縦断面図
【図３】図２の前部の拡大図
【図４】保護カバーが外された状態で全体を示す分解斜視図
【図５】図１におけるＸ−Ｘ断面図
【図６】図１におけるＹ−Ｙ断面図
【図７】図１におけるＺ−Ｚ断面図
【符号の説明】
【００２６】
１  モータ
２  ハウジング
２ａ、２ｂ  ハウジング部
３  駆動部
４  回転駆動伝達部
５  照明ライト
１３  ハンマケース
Ｓ  空隙部
【図１】
2007268635.tif 000003
【図２】
2007268635.tif 000004
【図３】
2007268635.tif 000005
【図４】
2007268635.tif 000006
【図５】
2007268635.tif 000007
【図６】
2007268635.tif 000008
【図７】
2007268635.tif 000009